(57)【要約】【課題】透光性を有する発光装置を基材に取り付けた場合において、発光装置からの光が出射される側とは反対側から光が漏れることを抑制しつつ、発光装置及び基材を介して透けて見える物体の色度が大きく変化することを抑制する。【解決手段】基板１００は、複数の発光領域１０６ａ及び複数の透光領域１０６ｂを有している。基板１００と基材２００の間の領域は、複数の空隙３２０を有している。複数の空隙３２０のそれぞれは、複数の透光領域１０６ｂのそれぞれと重なっている。言い換えると、透光領域１０６ｂと重なる領域において、基板１００と基材２００の間の領域には、空間を占める物体（例えば、固相又は液相の物体）が存在しない。これにより、基材２００側からの光が基板１００の面１０２から漏れることを抑制することができ、さらに、基板１００及び基材２００を介して透けて見える物体の色度が大きく変化することが抑制される。【選択図】図４
2018055930.tif 000002
【特許請求の範囲】
【請求項１】
光を出射する第１面を有する基材と、
前記基材とは反対側を向いた第２面と、交互に並んだ複数の発光領域と複数の透光領域を有し、前記基材に支持された透光性の基板と、
を備え、
前記基板と前記基材の間の領域は、前記複数の透光領域のいずれかと重なる空隙を有する発光システム。
【請求項２】
請求項１に記載の発光システムにおいて、
前記基板と前記基材の間の領域は、前記複数の発光領域のいずれかと重なる第１接着層を有する発光システム。
【請求項３】
請求項２に記載の発光システムにおいて、
前記基材と前記基板の間の領域は、複数の前記空隙を有し、
前記複数の空隙は、前記第１接着層を挟んで互いに隣接する２つの空隙を含む発光システム。
【請求項４】
請求項２又は３に記載の発光システムにおいて、
前記基板の前記第２面上にあって、前記第１接着層と重なり、透光性を有する第１電極と、
前記基板の前記第２面上にあって、前記第１接着層と重なり、光反射性を有する第２電極と、
を備え、
前記第２電極は、第１端部を有し、
前記第１接着層は、前記第２電極の前記第１端部と同じ方向を向いた第１端部を有し、
前記第１接着層の前記第１端部は、前記第２電極の前記第１端部よりも内側にある発光システム。
【請求項５】
請求項２〜４のいずれか一項に記載の発光システムにおいて、
前記基材と前記基板の間の領域は、前記基板の縁に沿って延伸する第２接着層を有する発光システム。
【請求項６】
請求項２〜５のいずれか一項に記載の発光システムにおいて、
前記第１接着層の屈折率は、
前記基材の屈折率及び前記基板の屈折率のうち小さいもの以上前記基材の屈折率及び前記基板の屈折率のうち大きいもの以下であり、又は
前記基材の屈折率及び前記基板の屈折率の双方に等しい発光システム。
【請求項７】
請求項２〜５のいずれか一項に記載の発光システムにおいて、
前記基板と前記基材の間の領域は、機能層を有し、
前記機能層は、前記基板の表面上にあって前記基材に対向しており、
前記第１接着層の屈折率は、
前記基材の屈折率及び前記機能層の屈折率のうち小さいもの以上前記基材の屈折率及び前記機能層の屈折率のうち大きいもの以下であり、又は
前記基材の屈折率及び前記機能層の屈折率の双方に等しい発光システム。
【請求項８】
請求項１〜７のいずれか一項に記載の発光システムにおいて、
前記基板は、前記基材側に向かって突出した複数の凸部を有し、
前記複数の凸部は、前記空隙を挟んで互いに隣接する２つの凸部を含む発光システム。
【請求項９】
請求項１〜８のいずれか一項に記載の発光システムにおいて、
前記基材と前記基板の間の領域は、複数の部材を有し、
前記複数の部材は、前記空隙を挟んで互いに隣接する２つの部材を含む発光システム。
【請求項１０】
請求項１〜９のいずれか一項に記載の発光システムにおいて、
前記基材は、移動体の窓である発光システム。
【請求項１１】
請求項１〜９のいずれか一項に記載の発光システムにおいて、
前記基材は、移動体の一部である発光システム。
【発明の詳細な説明】
【技術分野】
【０００１】
本発明は、発光システムに関する。
【背景技術】
【０００２】
近年、光透過性を有する有機発光ダイオード（ＯＬＥＤ）が開発されている。例えば、特許文献１のＯＬＥＤは、透光性を有する基板、光反射性を有する電極及び光散乱層を有している。電極と光散乱層は、基板を挟んで互いに対向している。さらに、特許文献２のＯＬＥＤは、第１透明電極層、有機層、第２透明電極層及びミラー層を有している。有機層は、第１透明電極層と第２透明電極層の間にあり、エレクトロルミネッセント領域及び非エレクトロルミネッセント領域を有している。ミラー層は、第２透明電極層上にあって、エレクトロルミネッセント領域と重なっている。
【０００３】
特許文献３には、液晶ディスプレイの一例について記載されている。この液晶ディスプレイは、透明板、液晶パネル、発光素子及び透明シートを有している。液晶パネルは、透明板の前面上にあり、液晶パネルは透明板の背面上にある。透明シートは、空気層を介して透明板の背面に対向している。
【先行技術文献】
【特許文献】
【０００４】
【特許文献１】特開２０１３−１４９３７６号公報
【特許文献２】特表２０１２−５０６６０４号公報
【特許文献３】特開平１０−１４９８８１号公報
【発明の概要】
【発明が解決しようとする課題】
【０００５】
透光性を有する発光装置（例えば、ＯＬＥＤ）を基材（例えば、自動車のリアウインドウ）に取り付けることがある。この場合において、発光装置からの光を基材の一方の面から出射するとき、基材の反対面から光が漏れることを抑制することが要請されることがある。さらに、発光装置及び基材を介して透けて見える物体の色度が大きく変化することを抑制することが要請されることがある。
【０００６】
本発明が解決しようとする課題としては、透光性を有する発光装置を基材に取り付けた場合において、発光装置からの光が出射される側とは反対側から光が漏れることを抑制しつつ、発光装置及び基材を介して透けて見える物体の色度が大きく変化することを抑制することが一例として挙げられる。
【課題を解決するための手段】
【０００７】
請求項１に記載の発明は、
光を出射する第１面を有する基材と、
前記基材とは反対側を向いた第２面と、交互に並んだ複数の発光領域と複数の透光領域を有し、前記基材に支持された透光性の基板と、
を備え、
前記基板と前記基材の間の領域は、前記複数の透光領域のいずれかと重なる空隙を有する発光システムである。
【図面の簡単な説明】
【０００８】
【図１】実施形態１に係る発光システムを示す図である。
【図２】図１の領域αを拡大した図である。
【図３】図２から発光装置を取り除いた図である。
【図４】図２のＡ−Ａ断面図である。
【図５】図２のＢ−Ｂ断面図である。
【図６】図１〜図５に示した発光装置を基材に接合させる方法の第１例を説明するための図である。
【図７】図１〜図５に示した発光装置を基材に接合させる方法の第２例を説明するための図である。
【図８】図１〜図５に示した発光システムの動作を説明するための図である。
【図９】（ａ）は、図１〜図５に示した接着層の第１例を示す図であり、（ｂ）は、図１〜図５に示した接着層の第２例を示す図であり、（ｃ）は、図１〜図５に示した接着層の第３例を示す図であり、（ｄ）は、図１〜図５に示した接着層の第４例を示す図である。
【図１０】（ａ）は、図４に示した発光部の詳細の第１例を示す図であり、（ｂ）は、図４に示した発光部の詳細の第２例を示す図である。
【図１１】図３の第１の変形例を示す図である。
【図１２】図３の第２の変形例を示す図である。
【図１３】図４の第１の変形例を示す図である。
【図１４】図４の第２の変形例を示す図である。
【図１５】図４の第３の変形例を示す図である。
【図１６】図４の第４の変形例を示す図である。
【図１７】図４の第５の変形例を示す図である。
【図１８】実施形態２に係る発光システムを示す断面図である。
【図１９】図１８の第１の変形例を示す図である。
【図２０】図１８の第２の変形例を示す図である。
【図２１】図１８の第３の変形例を示す図である。
【図２２】図１８の第４の変形例を示す図である。
【図２３】図１８の第５の変形例を示す図である。
【図２４】実施形態３に係る発光システムを示す断面図である。
【図２５】図２４の変形例を示す図である。
【図２６】実施形態４に係る発光システムを示す断面図である。
【図２７】図２６の変形例を示す図である。
【図２８】実施例に係る発光システムを示す図である。
【発明を実施するための形態】
【０００９】
以下、本発明の実施の形態について、図面を用いて説明する。尚、すべての図面において、同様な構成要素には同様の符号を付し、適宜説明を省略する。
【００１０】
（実施形態１）
図１は、実施形態１に係る発光システム２０を示す図である。図２は、図１の領域αを拡大した図である。図３は、図２から発光装置１０を取り除いた図である。図４は、図２のＡ−Ａ断面図である。図５は、図２のＢ−Ｂ断面図である。
【００１１】
図４を用いて、発光システム２０の概要について説明する。発光システム２０は、基板１００及び基材２００を備えている。基材２００は、面２０４（第１面）を有している。基板１００は、透光性である。基板１００は、面１０２（第２面）を有している。基板１００の面１０２は、基材２００の面２０４とは反対側を向いている。基板１００は、複数の発光領域１０６ａ及び複数の透光領域１０６ｂを含んでいる。これら発光領域１０６ａ及び透光領域１０６ｂは、交互に並んでいる。基板１００は、基材２００に支持されている。言い換えると、基材２００は、基板１００を支持する支持体として機能している。
【００１２】
基材２００の面２０４と基板１００の面１０２の間の領域は、複数の第１領域４１０、複数の第２領域４２０、第３領域４３０及び第４領域４４０を有している。複数の第１領域４１０のそれぞれは、複数の発光領域１０６ａのそれぞれと重なっている。複数の第２領域４２０のそれぞれは、複数の透光領域１０６ｂのそれぞれと重なっている。第３領域４３０は、複数の第１領域４１０及び複数の第２領域４２０と重なっている。第４領域４４０は、複数の第１領域４１０及び複数の第２領域４２０を挟んで第３領域４３０と対向している。
【００１３】
本図に示す例では、複数の接着層３１０のそれぞれが複数の第１領域４１０のそれぞれとして機能しており、複数の空隙３２０のそれぞれが複数の第２領域４２０のそれぞれとして機能しており、基材２００が第３領域４３０として機能しており、基板１００が第４領域４４０として機能している。
【００１４】
基材２００の面２０４と基板１００の面１０２の間の領域は、複数の境界５５２、複数の境界５５４、複数の境界５５６及び複数の境界５５８を有している。複数の境界５５２のそれぞれは、第１媒質５１０と第３媒質５３０の間にあって、複数の発光領域１０６ａのそれぞれと重なっている。複数の境界５５４のそれぞれは、第２媒質５２０と第３媒質５３０の間にあって、複数の透光領域１０６ｂのそれぞれと重なっている。複数の境界５５６のそれぞれは、第１媒質５１０と第４媒質５４０の間にあって、複数の発光領域１０６ａのそれぞれと重なっており、第１媒質５１０を挟んで複数の境界５５２のそれぞれの反対側にある。複数の境界５５８のそれぞれは、第２媒質５２０と第４媒質５４０の間にあって、複数の透光領域１０６ｂのそれぞれと重なっており、第２媒質５２０を挟んで複数の境界５５４のそれぞれの反対側にある。
【００１５】
本図に示す例では、複数の接着層３１０のそれぞれが複数の第１媒質５１０のそれぞれとして機能しており、複数の空隙３２０のそれぞれが複数の第２媒質５２０のそれぞれとして機能しており、基材２００が第３媒質５３０として機能しており、基板１００が第４媒質５４０として機能している。
【００１６】
第３領域４３０（基材２００）の屈折率は、第２領域４２０（空隙３２０）の屈折率よりも第１領域４１０（接着層３１０）の屈折率に近い。言い換えると、第１媒質５１０（接着層３１０）と第３媒質５３０（基材２００）の屈折率差の絶対値が第２媒質５２０（空隙３２０）と第３媒質５３０（基材２００）の屈折率差の絶対値よりも小さい。この場合、第１領域４１０（接着層３１０）と第３領域４３０（基材２００）の間の界面（境界５５２）における光の反射率が第２領域４２０（空隙３２０）と第３領域４３０（基材２００）の間の界面（境界５５４）における光の反射率よりも小さくなる。これにより、第１領域４１０（接着層３１０）側から第３領域４３０（基材２００）側に向かう光が境界５５２で反射することを抑制することができ、第３領域４３０（基材２００）側から第２領域４２０（空隙３２０）側に向かう光が境界５５４を通過することを抑制することができる。このようにして、基板１００側からの光を基材２００の面２０４から高い効率で出射させることができ、基材２００側からの光が基板１００の面１０２から漏れることを抑制することができる。
【００１７】
さらに、第４領域４４０（基板１００）の屈折率は、第２領域４２０（空隙３２０）の屈折率よりも第１領域４１０（接着層３１０）の屈折率に近くてもよい。言い換えると、第４媒質５４０（基板１００）と第１媒質５１０（接着層３１０）の屈折率差の絶対値が第４媒質５４０（基板１００）と第２媒質５２０（空隙３２０）の屈折率差の絶対値よりも小さくてもよい。この場合、第４領域４４０（基板１００）と第１領域４１０（接着層３１０）の間の界面（境界５５６）における光の反射率が第４領域４４０（基板１００）と第２領域４２０（空隙３２０）の間の界面（境界５５８）における光の反射率よりも小さくなる。これにより、第４領域４４０（基板１００）側から第１領域４１０（接着層３１０）側に向かう光が境界５５６で反射することを抑制することができ、第２領域４２０（空隙３２０）側から第４領域４４０（基板１００）側に向かう光が境界５５８を通過することを抑制することができる。このようにして、基板１００側からの光を基材２００の面２０４から高い効率で出射させることができ、基材２００側からの光が基板１００の面１０２から漏れることを抑制することができる。
【００１８】
さらに、第２領域４２０（空隙３２０）の屈折率は、第３領域４３０（基材２００）の屈折率よりも小さい。この場合、第３領域４３０（基材２００）側から第２領域４２０（空隙３２０）側に向かう光の入射角がある程度大きいとき、境界５５４において全反射が生じる。このようにして、基材２００側からの光が基板１００の面１０２から漏れることを抑制することができる。また、このとき第２領域４２０（空隙３２０）の屈折率は、第１領域４１０（接着層３１０）の屈折率より小さい。
【００１９】
さらに、第３領域４３０（基材２００）の屈折率及び第４領域４４０（基板１００）の屈折率が互いに異なっている場合、第１領域４１０（接着層３１０）の屈折率は、第３領域４３０（基材２００）の屈折率及び第４領域４４０（基板１００）の屈折率のうち小さいもの以上第３領域４３０（基材２００）の屈折率及び第４領域４４０（基板１００）の屈折率のうち大きいもの以下であってもよい。言い換えると、屈折率の大きい順に、第３領域４３０（基材２００）、第１領域４１０（接着層３１０）、第４領域４４０（基板１００）、又は、第４領域４４０（基板１００）、第１領域４１０（接着層３１０）、第３領域４３０（基材２００）となっていてもよい。さらに、第３領域４３０（基材２００）の屈折率及び第４領域４４０（基板１００）の屈折率が互いに等しい場合、第１領域４１０（接着層３１０）の屈折率は、第３領域４３０（基材２００）の屈折率及び第４領域４４０（基板１００）の屈折率と等しくてもよい。この場合、第１領域４１０（接着層３１０）と第３領域４３０（基材２００）の間の屈折率差及び第１領域４１０（接着層３１０）と第４領域４４０（基板１００）の間の屈折率差の双方が小さくなる。これにより、第４領域４４０（基板１００）側から第３領域４３０（基材２００）側に向かう光が境界５５６及び境界５５２において反射することを抑制することができる。
【００２０】
さらに、基板１００と基材２００の間の領域は、透光領域１０６ｂと重なる領域において空隙３２０を有している。言い換えると、透光領域１０６ｂと重なる領域において、基板１００と基材２００の間の領域には、空間を占める物体（例えば、固相又は液相の物体）が存在しない。このため、光が空隙３２０を透過しても、特定の波長をカットするようなカラーフィルターとして機能する物体がないため、光の色度が変化することが抑制される。これにより、基板１００及び基材２００を介して透けて見える物体の色度が大きく変化することが抑制される。
【００２１】
次に、図１〜図５を用いて、発光システム２０の詳細について説明する。発光システム２０は、発光装置１０、基材２００、枠体２１０及び接着層３１０を備えている。発光装置１０は、基板１００、第１電極１１０、第１端子１１２、第１配線１１４、有機層１２０、第２電極１３０、第２端子１３２、第２配線１３４及び絶縁層１４０を有している。
【００２２】
図１に示すように、基材２００は、枠体２１０によって支持されている。基材２００は、透光性を有している。基材２００は、例えば、ガラス板である。発光装置１０（基板１００）は、基材２００の面２０２上に支持されている。
【００２３】
図２に示すように、面１０２に垂直な方向から見た場合、基板１００の形状は矩形であり、一対の長辺及び一対の短辺を有している。基板１００は、半透過発光領域１０６を有している。半透過発光領域１０６は、複数の発光領域１０６ａ及び複数の透光領域１０６ｂを有している。これら発光領域１０６ａ及び透光領域１０６ｂは、基板１００の長辺に沿って交互に並んでいる。本図に示す例において、発光領域１０６ａの形状は、一対の長辺及び一対の短辺を有する矩形である。
【００２４】
本図に示す例では、複数の発光領域１０６ａ（すなわち、複数の発光部１５０（詳細は後述））がある程度狭いピッチで並んでいる。このため、複数の発光部１５０から光が発せられた場合、人間の視覚では、半透過発光領域１０６の全面に亘って光が発せられているように見える。言い換えると、半透過発光領域１０６から光が発せられている場合、人間の視覚では、面２０４（図４）側から面１０２側の物体は見えない。
【００２５】
さらに、本図に示す例では、発光領域１０６ａ（すなわち、遮光性を有する領域）がある程度狭く、かつ透光領域１０６ｂがある程度広い。具体的には、発光領域１０６ａの幅は、例えばおおよそ２００μｍであり、透光領域１０６ｂの幅は、例えばおおよそ７００μｍである。このため、人間の視覚では、発光装置１０を介して物体が透けて見える。言い換えると、発光装置１０は、半透過ＯＬＥＤとして機能している。具体的には、半透過発光領域１０６から光が発せられていない場合、人間の視覚では、面２０４（図４）側からは面１０２側の物体が透けて見える。さらに、半透過発光領域１０６から光が発せられている場合及び半透過発光領域１０６から光が発せられていない場合のいずれにおいても、人間の視覚では、面１０２側から面２０４（図４）側の物体が透けて見える。特に、本図に示す例では、基材２００の面２０４と基板１００の面１０２の間の領域は、複数の第１領域４１０、複数の第２領域４２０、第３領域４３０及び第４領域４４０を有していて、その領域での屈折率または物体を上述の通りとすることで、発光領域１０６ａでの発光が面１０２側に放出されることを防止している。そのため、面１０２側から発光システム２０を介して面２０４側を視認した際にも面２０４側を視認させやすくすることができる。
【００２６】
なお、本図に示す例において、半透過発光領域１０６の形状は、一対の長辺及び一対の短辺を有する矩形として規定されている。具体的には、半透過発光領域１０６の一対の長辺は、複数の発光領域１０６ａのそれぞれの一対の短辺と重なっている。半透過発光領域１０６の一方の短辺は、複数の発光領域１０６ａの中の一端の発光領域１０６ａのうちの外側の長辺と重なっている。発光領域１０６ａの他方の短辺は、複数の発光領域１０６ａの中の他端の発光領域１０６ａのうちの外側の長辺と重なっている。
【００２７】
図３に示すように、接着層３１０は、複数の第１部分３１１（第１接着層）及び第２部分３１３（第２接着層）を含んでいる。複数の第１部分３１１は、基板１００の長辺に沿って一列に並んでおり、第２部分３１３と繋がっている。複数の第１部分３１１のそれぞれは、基板１００の短辺に沿って延伸している。第２部分３１３は、基板１００の各辺（縁）に沿って連続的に延伸しており、半透過発光領域１０６（図２）を囲んでいる。これにより、基板１００の縁が基材２００から剥離することが抑制される。
【００２８】
図４を用いて、発光システム２０の断面の詳細を説明する。基板１００は、面１０２及び面１０４を有している。面１０４は、面１０２の反対側にある。基材２００は、面２０２及び面２０４を有している。面２０４は、面２０２の反対側にある。発光装置１０は、基板１００の面１０４が接着層３１０を挟んで基材２００の面２０２と対向するように基材２００の面２０２上に支持されている。
【００２９】
基材２００は、基板１００を支持する支持体として機能している。このため、基材２００の厚さｔ２は、基板１００の厚さｔ１よりもある程度厚い必要がある。具体的には、基材２００の厚さｔ２は、例えば１００μｍ以上１０ｍｍ以下であり、基板１００の厚さｔ１は、例えば、１μｍ以上２ｍｍ以下である。
【００３０】
基板１００は、例えば、ポリイミド（厚さ：おおよそ２０μｍ）を有している。その他の例として、基板１００は、樹脂シート、薄板ガラス又はガラス基板であってもよい。さらにその他の例として、基板１００は、樹脂基板であってもよい。この場合、基板１００は、樹脂基板の表面を覆う無機バリア膜（例えば、ＳｉＮｘ又はＳｉＯＮ）を有していてもよい。これにより、水が基板１００を透過することを抑制することができる。なお、無機バリア膜は、例えば、スパッタ、ＡＬＤ（Ａｔｏｍｉｃ  Ｌａｙｅｒ  Ｄｅｐｏｓｉｔｉｏｎ）又はＣＶＤ（Ｃｈｅｍｉｃａｌ  Ｖａｐｏｒ  Ｄｅｐｏｓｉｔｉｏｎ）により形成する。また、無機バリア膜は基板１００の両面に形成されていてもよいし、どちらか一方の面のみに形成されていてもよい。
【００３１】
第１電極１１０は、基板１００の面１０２上にある。第１電極１１０は、透光性及び導電性を有している。第１電極１１０は、例えば、ＩＴＯ（Ｉｎｄｉｕｍ  Ｔｉｎ  Ｏｘｉｄｅ）又はＩＺＯ（Ｉｎｄｉｕｍ  Ｚｉｎｃ  Ｏｘｉｄｅ）からなる。図２及び図５に示すように、複数の第１電極１１０のそれぞれが複数の第１配線１１４のそれぞれを介して第１端子１１２に接続している。これより、第１端子１１２及び第１配線１１４を介して発光装置１０の外部からの電圧を第１電極１１０に印加することができる。
【００３２】
絶縁層１４０は、例えば有機材料、より具体的には例えばポリイミドからなる。絶縁層１４０は、開口１４２を有している。開口１４２は、第１電極１１０の一部を露出している。
【００３３】
有機層１２０は、第１電極１１０上及び絶縁層１４０上にある。有機層１２０は、例えば、正孔注入層、正孔輸送層、発光層、電子輸送層及び電子注入層を含んでいる。正孔注入層及び正孔輸送層は、第１電極１１０に電気的に接続している。電子輸送層及び電子注入層は、第２電極１３０に電気的に接続している。発光層は、第１電極１１０と第２電極１３０の間の電圧によって光を発する。
【００３４】
第２電極１３０は、有機層１２０上にある。第２電極１３０は、光反射性及び導電性を有している。第２電極１３０は、例えば金属、より具体的には例えばＡｌ、Ａｇ又はＡｇＭｇ合金からなる。第２電極１３０は、例えば、メタルマスクを用いた真空蒸着により形成される。図２及び図５に示すように、複数の第２電極１３０のそれぞれが複数の第２配線１３４のそれぞれを介して第２端子１３２に接続している。これより、第２端子１３２及び第２配線１３４を介して発光装置１０の外部からの電圧を第２電極１３０に印加することができる。
【００３５】
絶縁層１４０の開口１４２によって発光部１５０が画定されている。言い換えると、絶縁層１４０は、発光部１５０を画定している。具体的には、第１電極１１０、有機層１２０及び第２電極１３０は、開口１４２の内側で互いに重なっている。このため、有機層１２０（より具体的には、有機層１２０中の発光層）からの光は、開口１４２から発せられる。
【００３６】
接着層３１０は、透光性を有している。接着層３１０は、例えば樹脂からなる。接着層３１０の厚さｔ３（すなわち、第１領域４１０及び第２領域４２０の高さｔ３）は、基板１００の面１０４と基材２００の面２０２の間に空隙３２０を形成するためにある程度大きい必要があり、具体的には、例えば１０μｍ以上１０ｍｍ以下である。
【００３７】
第１電極１１０は端部１１０ａ及び端部１１０ｂを有し、有機層１２０は端部１２０ａ及び端部１２０ｂを有し、第２電極１３０は端部１３０ａ及び端部１３０ｂを有し、絶縁層１４０は端部１４０ａ及び端部１４０ｂを有し、開口１４２は端部１４２ａ及び端部１４２ｂを有し、接着層３１０は、端部３１０ａ及び端部３１０ｂを有している。端部１１０ｂ、端部１２０ｂ、端部１３０ｂ、端部１４０ｂ、端部１４２ｂ及び端部３１０ｂは、互いに同じ方向を向いており、それぞれ、端部１１０ａ、端部１２０ａ、端部１３０ａ、端部１４０ａ、端部１４２ａ及び端部３１０ａの反対側にある。
【００３８】
第１電極１１０の端部１１０ａ及び端部１１０ｂは、絶縁層１４０によって覆われている。具体的には、発光部１５０の幅方向において、端部１１０ａは、絶縁層１４０の端部１４０ａと端部１４２ａの間にあり、端部１１０ｂは、絶縁層１４０の端部１４０ｂと端部１４２ｂの間にある。
【００３９】
有機層１２０の端部１２０ａ及び端部１２０ｂは、それぞれ、発光部１５０の幅方向において、絶縁層１４０の端部１４０ａ及び端部１４０ｂよりも外側にある。ただし、端部１２０ａ及び端部１２０ｂは、それぞれ、端部１４０ａ及び端部１４０ｂよりも内側にあってもよく、具体的には、それぞれ、端部１４０ａと端部１４２ａの間及び端部１４０ｂと端部１４２ｂの間にあってもよい。
【００４０】
第２電極１３０の端部１３０ａ及び端部１３０ｂは、それぞれ、発光部１５０の幅方向において、絶縁層１４０の端部１４０ａ及び端部１４０ｂよりも内側にあってもよく、具体的には、それぞれ、端部１４０ａと端部１４２ａの間及び端部１４０ｂと端部１４２ｂの間にあってもよい。
【００４１】
接着層３１０の端部３１０ａ及び端部３１０ｂは、それぞれ、発光部１５０の幅方向において、端部１４２ａと端部１３０ａの間及び端部１４２ｂと端部１３０ｂの間にある。具体的には、端部３１０ａ及び端部３１０ｂは、発光部１５０の幅方向において、それぞれ、端部１４２ａ及び端部１４２ｂから距離ｗだけ外側にある。端部１３０ａ及び端部１３０ｂは、発光部１５０の幅方向において、それぞれ、端部１４２ａ及び端部１４２ｂから距離ｌだけ外側にある。距離ｗ及び距離ｌは、０≦ｗ≦ｌを満たしている。距離ｗが０以上（０≦ｗ）である場合、発光部１５０からの光が境界５５８に達することを抑制することができる。距離ｗがｌ以下（ｗ≦ｌ）である場合、接着層３１０側から基板１００側に向かう光が面１０２から漏れることを抑制することができる。さらに、距離ｗがｌ以下（ｗ≦ｌ）である場合、接着層３１０が透光領域１０６ｂと重ならない。このため、色度が接着層３１０によって変化することを抑制することができる。このとき、距離ｗはひとつの発光システム内で全て同じでなくてもよい。また、距離ｌはひとつの発光システム内で全て同じでなくてもよい。
【００４２】
複数の発光領域１０６ａのそれぞれは、複数の発光部１５０のそれぞれと重なっており、具体的には、発光部１５０の幅方向において、端部１４２ａから端部１４２ｂまである。複数の透光領域１０６ｂのそれぞれは、互いに隣接する２つの発光部１５０のうちの一方の第２電極１３０と他方の第２電極１３０の間にあり、具体的には、互いに隣接する２つの発光部１５０のうちの一方の第２電極１３０の端部１３０ａから他方の第２電極１３０の端部１３０ｂまである。
【００４３】
基板１００の面１０２は、複数の第１領域１０２ａ、複数の第２領域１０２ｂ及び複数の第３領域１０２ｃを有している。第１領域１０２ａは、発光部１５０の幅方向において、第２電極１３０の端部１３０ａから端部１３０ｂまである。第２領域１０２ｂは、発光部１５０の幅方向において、第２電極１３０の端部１３０ａから絶縁層１４０の端部１４０ａまで（又は第２電極１３０の端部１３０ｂから絶縁層１４０の端部１４０ｂまで）ある。第３領域１０２ｃは、互いに隣接する２つの発光部１５０のうちの一方の絶縁層１４０の端部１４０ａから他方の端部１４０ｂまである。
【００４４】
本図に示す例において、第２領域１０２ｂの幅ｄ２は、第３領域１０２ｃの幅ｄ３よりも短い。これにより、発光装置１０の光線透過率が高くなっている。詳細には、第２領域１０２ｂの光線透過率は、第３領域１０２ｃの光線透過率よりも低い。これは、第２領域１０２ｂ上には絶縁層１４０が位置しているのに対し、第３領域１０２ｃ上には絶縁層１４０が位置していないためである。上記したように、第２領域１０２ｂの幅ｄ２は、第３領域１０２ｃの幅ｄ３よりも狭い。このため、発光装置１０の光線透過率が高くなっている。また、色度の観点で見れば絶縁層１４０を配置するとカラーフィルターとして機能を持っている場合がある。この場合、第２領域１０２ｂの幅が第３領域１０２ｃの幅より小さいことで、発光装置１０を透過した光の色度の変化を防ぐことができる。あるいは発光装置１０自体の色味がつくことを目立たなくすることができる。
【００４５】
さらに、本図に示す例では、発光装置１０が特定の波長の光を遮断するフィルタとして機能することが抑制される。詳細には、絶縁層１４０の光線透過率が波長によって異なっていることがある。このため、絶縁層１４０は、特定の波長の光を遮断するフィルタとして機能し得る。本図に示す例では、上記したように、第２領域１０２ｂ（絶縁層１４０と重なる領域）の幅ｄ２は狭く、具体的には第３領域１０２ｃの幅ｄ３よりも狭い。このため、発光装置１０が特定の波長の光を遮断するフィルタとして機能することが抑制される。また、絶縁層１４０がフィルタとして機能する場合には絶縁膜１４０が色味がかって視認されることがある。第２領域１０２ｂ（絶縁層１４０と重なる領域）の幅ｄ２は狭く、具体的には第３領域１０２ｃの幅ｄ３よりも狭くすることで絶縁層１４０および発光装置１０自体に色味が出るのを抑えることができる。
【００４６】
本図に示す例において、第２領域１０２ｂの幅ｄ２は、第１領域１０２ａの幅ｄ１の例えば０倍以上０．２以下（０≦ｄ２／ｄ１≦０．２）である。第３領域１０２ｃの幅ｄ３は、第１領域１０２ａの幅ｄ１の例えば０．３倍以上２倍以下（０．３≦ｄ３／ｄ１≦２）である。第１領域１０２ａの幅ｄ１は、例えば５０μｍ以上５００μｍ以下である。第２領域１０２ｂの幅ｄ２は、例えば０μｍ以上１００μｍ以下である。第３領域１０２ｃの幅ｄ３は、１５μｍ以上１０００μｍ以下である。
【００４７】
なお、複数の発光部１５０は、外部領域から封止されている。一例において、複数の発光部１５０は、バリア膜を有する封止板によって封止されている。この場合、封止板は、接着剤によって接着される。さらにこの場合、封止板と複数の発光部１５０の間に乾燥剤が充填されていてもよい。その他の例として、複数の発光部１５０は、例えばＡＬＤ、ＣＶＤ又はスパッタにより形成された無機膜（例えば、Ａｌ２Ｏ３膜、Ｓｉ３Ｎ４膜、ＴｉＯ２膜又はＳｉＯＮ膜）、またはそれらの積層膜によって封止されていてもよい。
【００４８】
図６は、図１〜図５に示した発光装置１０を基材２００に接合させる方法の第１例を説明するための図である。本図に示す例では、まず、基板１００の面１０４上に接着層３１０を形成する。接着層３１０のパターンは、例えばディスペンサを用いて形成される。その他の例として、接着層３１０のパターンは、スクリーン印刷による塗布により形成してもよいし、フォトリソグラフィによりパターニングされた感光性材料を用いて形成してもよいし、又は面１０４上の必要な部分のみに接着層３１０を転写することで形成してもよい。次いで、接着層３１０を挟んで基板１００の面１０４を基材２００の面２０２に押し当てる。これにより、発光装置１０は、接着層３１０を介して基材２００に接合する。
【００４９】
図７は、図１〜図５に示した発光装置１０を基材２００に接合させる方法の第２例を説明するための図である。本図に示す例では、まず、基材２００の面２０２上に接着層３１０を形成する。次いで、接着層３１０を挟んで基板１００の面１０４を基材２００の面２０２に押し当てる。これにより、発光装置１０は、接着層３１０を介して基材２００に接合する。
【００５０】
図８は、図１〜図５に示した発光システム２０の動作を説明するための図であり、図４に対応する。
【００５１】
本図に示す例において、接着層３１０の端部３１０ａ及び端部３１０ｂは、発光部１５０の幅方向において、それぞれ、端部１４２ａ及び端部１４２ｂから距離ｗだけ外側にある。この場合、発光部１５０の端部（端部１４２ａ又は端部１４２ｂの直下）から出射角θで出射された光は、出射角θがｔａｎ−１（ｗ／ｔ１）以下（θ≦ｔａｎ−１（ｗ／ｔ１））であるとき（ｔ１：基板１００の厚さ）、接着層３１０に入射することができる。このとき、ｔ１が小さいと、より多くの光が接着層３１０に入射することができる。言い換えると、基板１００の厚さが薄い方が接着層３１０に入射することができる光がより多くなる。
【００５２】
本図に示す例において、光Ｌ１は、発光部１５０から出射されて、基板１００、接着層３１０及び基材２００を透過している。基材２００の面２０４は、空気に接している。このため、基材２００と空気の屈折率差によって、光Ｌ１の一部の成分は基材２００の面２０４から出射され、光Ｌ１の他の一部の成分は基材２００の面２０４で反射されている。面２０４で反射された成分の一部は境界５５４で反射されており、面２０４で反射された成分の他の一部は境界５５４を通過している。境界５５４を通過した成分の一部は境界５５８で反射されており、境界５５４を通過した成分の他の一部は境界５５８を通過している。
【００５３】
本図に示す例において、光Ｌ２は、光Ｌ１よりも大きい出射角で発光部１５０から出射されて、基板１００、接着層３１０及び基材２００を透過して、基材２００の面２０４で反射されて境界５５４で反射されている。光Ｌ２については、基材２００の面２０４及び境界５５４で全反射が生じている。
【００５４】
上記したように、接着層３１０と基材２００の屈折率差の絶対値は、空隙３２０と基材２００の屈折率差の絶対値よりも小さい。この場合、接着層３１０側から基材２００側に向かう光（例えば、本図に示した光Ｌ１及び光Ｌ２）が境界５５２で反射することを抑制することができ、基材２００側から空隙３２０側に向かう光（例えば、本図に示した光Ｌ１及び光Ｌ２）が境界５５４を通過することを抑制することができる。
【００５５】
さらに、上記したように、基板１００と接着層３１０の屈折率差の絶対値は、基板１００と空隙３２０の屈折率差の絶対値よりも小さくてもよい。この場合、基板１００側から接着層３１０側に向かう光（例えば、本図に示した光Ｌ１及び光Ｌ２）が境界５５６で反射することを抑制することができ、空隙３２０側から基板１００側に向かう光（例えば、本図に示した光Ｌ１）が境界５５８を通過することを抑制することができる。
【００５６】
さらに、上記したように、空隙３２０の屈折率は、基材２００の屈折率よりも小さい。この場合、基材２００側から空隙３２０側に向かう光（例えば、本図に示した光Ｌ２）の入射角がある程度大きいとき、境界５５４において全反射が生じる。このようにして、基材２００側からの光が基板１００の面１０２から漏れることを抑制することができる。また、このとき空隙３２０の屈折率は、接着層３１０の屈折率より小さい。
【００５７】
また、基材２００の面２０４で反射され、基材２００側から接着層３１０側に向かう光は、境界５５２及び境界５５６を透過し、発光部１５０に達する。この場合、発光部１５０は遮光性を有するため、基材２００側からの光が基板１００の面１０２から漏れることを抑制することができる。
【００５８】
図９（ａ）は、図１〜図５に示した接着層３１０の第１例を示す図である。接着層３１０の形状は、基板１００及び基材２００の接着層３１０に対する濡れ性によって変化する。本図に示す例において、接着層３１０の端部３１０ａ及び端部３１０ｂは、基材２００側から基板１００側に向かうにつれて接着層３１０の幅が狭くなるように傾斜している。
【００５９】
図９（ｂ）は、図１〜図５に示した接着層３１０の第２例を示す図である。本図に示す例において、接着層３１０の端部３１０ａ及び端部３１０ｂは、基材２００側から基板１００側に向かうにつれて接着層３１０の幅が広くなるように傾斜している。
【００６０】
図９（ｃ）は、図１〜図５に示した接着層３１０の第３例を示す図である。本図に示す例において、接着層３１０の端部３１０ａ及び端部３１０ｂは、外側に凸に湾曲している。
【００６１】
図９（ｄ）は、図１〜図５に示した接着層３１０の第４例を示す図である。本図に示す例において、接着層３１０の端部３１０ａ及び端部３１０ｂは、外側に凹に湾曲している。
【００６２】
図１０（ａ）は、図４に示した発光部１５０の詳細の第１例を示す図である。本図に示す例において、発光装置１０は、２つの導電部１１６（導電部１１６ａ及び導電部１１６ｂ）を備えている。導電部１１６ａ及び導電部１１６ｂは、第１電極１１０の上面上にある。導電部１１６ａ及び導電部１１６ｂは、絶縁層１４０によって覆われており、それぞれ、発光部１５０の幅方向において、端部１４０ａと端部１４２ａの間及び端部１４０ｂと端部１４２ｂの間にある。なお、２つの導電部１１６（導電部１１６ａ及び導電部１１６ｂ）はどちらか一方のみでもよい。
【００６３】
導電部１１６は、第１電極１１０の補助電極として機能している。具体的には、導電部１１６の導電率は、第１電極１１０の導電率よりも高い。導電部１１６は、例えば、Ｍｏ／Ａｌ／Ｍｏ積層体又はＡＰＣ（Ａｇ−Ｐｄ−Ｃｕ）合金からなる。なお、導電部１１６は、発光部１５０と重なっていない。このため、導電部１１６は、透光性を有する必要はなく、遮光性を有していてもよい。
【００６４】
図１０（ｂ）は、図４に示した発光部１５０の詳細の第２例を示す図である。本図に示すように、導電部１１６ａ及び導電部１１６ｂは、基板１００の面１０２上において第１電極１１０に覆われていてもよい。導電部１１６ａ及び導電部１１６ｂは、それぞれ、発光部１５０の幅方向において、端部１４０ａと端部１４２ａの間及び端部１４０ｂと端部１４２ｂの間にある。なお、導電部１１６ａと導電部１１６ｂはどちらか一方のみでもよい。
【００６５】
図１１は、図３の第１の変形例を示す図である。本図に示すように、接着層３１０の第１部分３１１は、接着層３１０の第２部分３１３と繋がっていなくてもよい。これにより、互いに隣接する第１部分３１１の間に熱がたまることが抑制される。
【００６６】
図１２は、図３の第２の変形例を示す図である。本図に示すように、接着層３１０の第２部分３１３は、隙間３１５を有していてもよい。第２部分３１３は、隙間３１５によって分断されている。この場合、第２部分３１３に熱膨張が生じても、基板１００に加わる応力を隙間３１５によって緩和することができる。
【００６７】
以上、本実施形態によれば、発光システム２０は、基板１００の面１０２と基材２００の面２０４の間、より具体的には基板１００の面１０４と基材２００の面２０２の間に空隙３２０を有している。基材２００側から基板１００側に向かう光は、空隙３２０によって基材２００側に反射される。このため、基材２００側からの光が基板１００の面１０２から漏れることを抑制することができる。さらに、空隙３２０には、空間を占める物体が存在していない。このため、基板１００及び基材２００を介して透けて見える物体の色度が大きく変化することが抑制される。
【００６８】
図１３は、図４の第１の変形例を示す図である。本図に示す例は、発光システム２０が空隙３２０（図４）に代えて部材３３０を有している点を除いて、図４に示した例と同様である。言い換えると、本図に示す例では、部材３３０が第２領域４２０及び第２媒質５２０として機能している。部材３３０は、例えば、透光性のスペーサ部材として機能しており、例えば、ガラス又は樹脂からなる。この場合、基板１００の面１０４と基材２００の面２０２の間の領域の高さｔ３は、部材３３０の高さによって安定して決定される。さらに、接着層３１０が横方向に広がることが部材３３０によって防止される。
【００６９】
部材３３０の屈折率は、基材２００の屈折率よりも小さくてもよい。この場合、基材２００側から部材３３０側に向かう光の入射角がある程度大きいとき、境界５５４において全反射が生じる。このようにして、基材２００側からの光が基板１００の面１０２から漏れることを抑制することができる。
【００７０】
さらに、部材３３０の屈折率は基板１００の屈折率及び基材２００の屈折率より小さく、接着層３１０の屈折率は部材３３０の屈折率よりも基板１００の屈折率及び基材２００の屈折率に近いことが好ましい。言い換えれば、部材３３０の屈折率は、接着層３１０の屈折率より小さいことが好ましい。この場合、基板１００側から基材２００側に向かう光が、接着層３１０と基材２００の間の界面（境界５５２）及び接着層３１０と基板１００の間の界面（境界５５６）で反射することを抑制することができ、基材２００側から基板１００側に向かう光が、部材３１０と基材２００の間の界面（境界５５４）及び部材３１０と基板１００の間の界面（境界５５８）を通過することを抑制することができる。このようにして、基板１００側からの光を基材２００の面２０４から高い効率で出射させることができ、基材２００側からの光が基板１００の面１０２から漏れることを抑制することができる。
【００７１】
図１４は、図４の第２の変形例を示す図である。本図に示す例は、機能層３４０が第４領域４４０として機能している点を除いて、図４に示した例と同様である。機能層は、例えば反射防止層である。機能層３４０は、基板１００の面１０４上にある。これにより、発光部１５０からの光が面１０４で反射することが抑制される。
【００７２】
図１５は、図４の第３の変形例を示す図である。本図に示す例は、機能層３４０が第３領域４３０として機能している点を除いて、図４に示した例と同様である。機能層３４０は、基材２００の面２０２上にある。これにより、接着層３１０からの光が面２０２で反射することが抑制される。
【００７３】
図１６は、図４の第４の変形例を示す図である。本図に示す例において、基板１００は、ベース１００ａ及び複数の凸部１００ｂを有している。複数の凸部１００ｂは、基板１００の面１０４側にあって、ベース１００ａから突出している。複数の凸部１００ｂのそれぞれは、複数の発光領域１０６ａのそれぞれと重なっている。複数の接着層３１０のそれぞれは、複数の凸部１００ｂのそれぞれと重なっている。本図に示す例において、境界５５２は、第１媒質５１０（接着層３１０）と第３媒質５３０（基材２００）の間にあり、境界５５４は、第２媒質５２０（空隙３２０）と第３媒質５３０（基材２００）の間にあり、境界５５６は、第１媒質５１０（接着層３１０）と第４媒質５４０（凸部１００ｂ）の間にあり、境界５５８は、第２媒質５２０（空隙３２０）と第４媒質５４０（ベース１００ａ）の間にある。
【００７４】
図１７は、図４の第５の変形例を示す図である。本図に示す例において、基材２００は、ベース２００ａ及び複数の凸部２００ｂを有している。複数の凸部２００ｂは、基材２００の面２０２側にあって、ベース２００ａから突出している。複数の凸部２００ｂのそれぞれは、複数の発光領域１０６ａのそれぞれと重なっている。複数の接着層３１０のそれぞれは、複数の凸部２００ｂのそれぞれと重なっている。本図に示す例において、境界５５２は、第１媒質５１０（接着層３１０）と第３媒質５３０（凸部２００ｂ）の間にあり、境界５５４は、第２媒質５２０（空隙３２０）と第３媒質５３０（ベース２００ａ）の間にあり、境界５５６は、第１媒質５１０（接着層３１０）と第４媒質５４０（基板１００）の間にあり、境界５５８は、第２媒質５２０（空隙３２０）と第４媒質５４０（基板１００）の間にある。
【００７５】
（実施形態２）
図１８は、実施形態２に係る発光システム２０を示す断面図であり、実施形態１の図４に対応する。本実施形態に係る発光システム２０は、以下の点を除いて、実施形態１に係る発光システム２０と同様である。
【００７６】
発光システム２０は、基板１００と基材２００の間に接着層３１０を有している。基板１００は、基板１００の面１０４と基材２００の面２０２が接着層３１０を挟んで互いに対向するように基材２００の面２０２上に支持されている。
【００７７】
基板１００は、ベース１００ａ及び複数の凸部１００ｂを有している。複数の凸部１００ｂは、基板１００の面１０４側にあって、ベース１００ａから突出している。複数の凸部１００ｂのそれぞれは、複数の発光領域１０６ａのそれぞれと重なっている。互いに隣接する２つの凸部１００ｂと接着層３１０によって囲まれている領域が空隙３２０として機能している。言い換えると、複数の凸部１００ｂ及び複数の空隙３２０が交互に並んでいる。
【００７８】
基材２００の面２０４と基板１００の面１０２の間の領域は、複数の第１領域４１０、複数の第２領域４２０及び第３領域４３０を有している。複数の第１領域４１０のそれぞれは、複数の発光領域１０６ａのそれぞれと重なっている。複数の第２領域４２０のそれぞれは、複数の透光領域１０６ｂのそれぞれと重なっている。第３領域４３０は、複数の第１領域４１０及び複数の第２領域４２０と重なっている。複数の第１領域４１０及び複数の第２領域４２０は、第３領域４３０と面１０２の間にある。
【００７９】
本図に示す例では、複数の凸部１００ｂのそれぞれが複数の第１領域４１０のそれぞれとして機能しており、複数の空隙３２０のそれぞれが複数の第２領域４２０のそれぞれとして機能しており、接着層３１０が第３領域４３０として機能している。
【００８０】
基材２００の面２０４と基板１００の面１０２の間の領域は、複数の境界５５２、複数の境界５５４及び複数の境界５５８を有している。複数の境界５５２のそれぞれは、第１媒質５１０と第３媒質５３０の間にあって、複数の発光領域１０６ａのそれぞれと重なっている。複数の境界５５４のそれぞれは、第２媒質５２０と第３媒質５３０の間にあって、複数の透光領域１０６ｂのそれぞれと重なっている。複数の境界５５８のそれぞれは、第１媒質５１０と第２媒質５２０の間にあって、複数の透光領域１０６ｂのそれぞれと重なっており、第２媒質５２０を挟んで複数の境界５５４のそれぞれの反対側にある。
【００８１】
本図に示す例では、基板１００が第１媒質５１０として機能しており、複数の空隙３２０のそれぞれが複数の第２媒質５２０のそれぞれとして機能しており、接着層３１０が第３媒質５３０として機能している。
【００８２】
第３領域４３０（接着層３１０）の屈折率は、第２領域４２０（空隙３２０）の屈折率よりも第１領域４１０（凸部１００ｂ）の屈折率に近い。言い換えると、第１媒質５１０（凸部１００ｂ）と第３媒質５３０（接着層３１０）の屈折率差の絶対値が第２媒質５２０（空隙３２０）と第３媒質５３０（接着層３１０）の屈折率差の絶対値よりも小さい。この場合、図４に示した例と同様にして、第１領域４１０（凸部１００ｂ）側から第３領域４３０（接着層３１０）側に向かう光が境界５５２で反射することを抑制することができ、第３領域４３０（接着層３１０）側から第２領域４２０（空隙３２０）側に向かう光が境界５５４を通過することを抑制することができる。
【００８３】
さらに、第１媒質５１０（凸部１００ｂ）と第３媒質５３０（接着層３１０）の屈折率差の絶対値は、第１媒質５１０（ベース１００ａ）と第２媒質５２０（空隙３２０）の屈折率差の絶対値よりも小さくてもよい。この場合、図４に示した例と同様にして、第１媒質５１０（凸部１００ｂ）側から第３媒質５３０（接着層３１０）側に向かう光が境界５５２で反射することを抑制することができ、第２領域４２０（空隙３２０）側から第１媒質５１０（ベース１００ａ）側に向かう光が境界５５８を通過することを抑制することができる。また、接着層３１０の屈折率は、基板１００の屈折率と基材２００の屈折率の間にあるのが好ましい。この場合、基板１００側からの光を基材２００の面２０４から高い効率で出射させることができる。
【００８４】
図１９は、図１８の第１の変形例を示す図である。本図に示す例は、発光システム２０が空隙３２０（図１８）に代えて部材３３０を有している点を除いて、図１８に示した例と同様である。言い換えると、本図に示す例では、部材３３０が第２領域４２０及び第２媒質５２０として機能している。部材３３０は、例えばスペーサ部材として機能している。この場合、互いに隣接する２つの凸部１００ｂの間の領域に接着層３１０が入り込むことが抑制される。また、このとき部材３３０の屈折率は、凸部１００ｂの屈折率より小さいことが好ましい。
【００８５】
図２０は、図１８の第２の変形例を示す図である。本図に示す例は、以下の点を除いて、図１８に示した例と同様である。
【００８６】
基材２００は、ベース２００ａ及び複数の凸部２００ｂを有している。複数の凸部２００ｂは、基材２００の面２０２側にあって、ベース２００ａから突出している。複数の凸部２００ｂのそれぞれは、複数の発光領域１０６ａのそれぞれと重なっている。互いに隣接する２つの凸部２００ｂと接着層３１０によって囲まれている領域が空隙３２０として機能している。言い換えると、複数の凸部２００ｂ及び複数の空隙３２０が交互に並んでいる。
【００８７】
基材２００の面２０４と基板１００の面１０２の間の領域は、複数の第１領域４１０、複数の第２領域４２０及び第４領域４４０を有している。複数の第１領域４１０のそれぞれは、複数の発光領域１０６ａのそれぞれと重なっている。複数の第２領域４２０のそれぞれは、複数の透光領域１０６ｂのそれぞれと重なっている。第４領域４４０は、複数の第１領域４１０及び複数の第２領域４２０と重なっている。複数の第１領域４１０及び複数の第２領域４２０は、第４領域４４０と面２０４の間にある。
【００８８】
本図に示す例では、複数の凸部２００ｂのそれぞれが複数の第１領域４１０のそれぞれとして機能しており、複数の空隙３２０のそれぞれが複数の第２領域４２０のそれぞれとして機能しており、ベース２００ａが第３領域４３０として機能しており、接着層３１０が第４領域４４０として機能している。
【００８９】
基材２００の面２０４と基板１００の面１０２の間の領域は、複数の境界５５４、複数の境界５５６及び複数の境界５５８を有している。複数の境界５５４のそれぞれは、第１媒質５１０と第２媒質５２０の間にあって、複数の透光領域１０６ｂのそれぞれと重なっている。複数の境界５５６のそれぞれは、第１媒質５１０と第４媒質５４０の間にあって、複数の発光領域１０６ａのそれぞれと重なっている。複数の境界５５８のそれぞれは、第２媒質５２０と第４媒質５４０の間にあって、複数の透光領域１０６ｂのそれぞれと重なっており、第２媒質５２０を挟んで複数の境界５５４のそれぞれの反対側にある。
【００９０】
本図に示す例では、基材２００が第１媒質５１０として機能しており、複数の空隙３２０のそれぞれが複数の第２媒質５２０のそれぞれとして機能しており、接着層３１０が第４媒質５４０として機能している。
【００９１】
第４領域４４０（接着層３１０）の屈折率は、第２領域４２０（空隙３２０）の屈折率よりも第１領域４１０（凸部２００ｂ）の屈折率に近い。言い換えると、第１媒質５１０（凸部２００ｂ）と第４媒質５４０（接着層３１０）の屈折率差の絶対値が第２媒質５２０（空隙３２０）と第４媒質５４０（接着層３１０）の屈折率差の絶対値よりも小さい。この場合、図４に示した例と同様にして、第４領域４４０（接着層３１０）側から第１領域４１０（凸部２００ｂ）側に向かう光が境界５５６で反射することを抑制することができ、第２領域４２０（空隙３２０）側から第４領域４４０（接着層３１０）側に向かう光が境界５５８を通過することを抑制することができる。
【００９２】
さらに、第１媒質５１０（凸部２００ｂ）と第４媒質５４０（接着層３１０）の屈折率差の絶対値は、第１媒質５１０（ベース２００ａ）と第２媒質５２０（空隙３２０）の屈折率差の絶対値よりも小さくてもよい。この場合、図４に示した例と同様にして、第４媒質５４０（接着層３１０）側から第１媒質５１０（凸部２００ｂ）側に向かう光が境界５５６で反射することを抑制することができ、第３領域４３０（ベース２００ａ）側から第２領域４２０（空隙３２０）側に向かう光が境界５５４を通過することを抑制することができる。また、接着層３１０の屈折率は、基板１００の屈折率と基材２００の屈折率の間にあるのが好ましい。この場合、基板１００側からの光を基材２００の面２０４から高い効率で出射させることができる。
【００９３】
図２１は、図１８の第３の変形例を示す図である。本図に示す例は、発光システム２０が空隙３２０（図２０）に代えて部材３３０を有している点を除いて、図２０に示した例と同様である。言い換えると、本図に示す例では、部材３３０が第２領域４２０及び第２媒質５２０として機能している。図１９に示した例と同様にして、部材３３０は、例えばスペーサ部材として機能している。また、このとき部材３３０の屈折率は、凸部２００ｂの屈折率より小さいことが好ましい。
【００９４】
図２２は、図１８の第４の変形例を示す図である。本図に示す例は、複数の凸部１００ｂのそれぞれが複数の第１領域４１０のそれぞれとして機能しており、複数の接着層３１０のそれぞれが複数の第２領域４２０のそれぞれとして機能しており、基材２００が第３領域４３０として機能しており、ベース１００ａが第４領域４４０として機能している点を除いて、図１８に示した例と同様である。
【００９５】
第３領域４３０（基材２００）の屈折率は、第２領域４２０（接着層３１０）の屈折率よりも第１領域４１０（凸部１００ｂ）の屈折率に近い。言い換えると、第１媒質５１０（凸部１００ｂ）と第３媒質５３０（基材２００）の屈折率差の絶対値が第２媒質５２０（接着層３１０）と第３媒質５３０（基材２００）の屈折率差の絶対値よりも小さい。この場合、図４に示した例と同様にして、第１領域４１０（凸部１００ｂ）側から第３領域４３０（基材２００）側に向かう光が境界５５２で反射することを抑制することができ、第３領域４３０（基材２００）側から第２領域４２０（接着層３１０）側に向かう光が境界５５４を通過することを抑制することができる。
【００９６】
さらに、第１媒質５１０（凸部１００ｂ）と第３媒質５３０（基材２００）の屈折率差の絶対値は、第１媒質５１０（ベース１００ａ）と第２媒質５２０（接着層３１０）の屈折率差の絶対値よりも小さくてもよい。この場合、図４に示した例と同様にして、第１領域４１０（凸部１００ｂ）側から第３領域４３０（基材２００）側に向かう光が境界５５２で反射することを抑制することができ、第２領域４２０（接着層３１０）側から第４領域４４０（ベース１００ａ）側に向かう光が境界５５８を通過することを抑制することができる。
【００９７】
さらに、接着層３１０の屈折率は基材２００の屈折率より小さいことが好ましい。この場合、基材２００側から接着層３１０側に向かう光の入射角がある程度大きいとき、境界５５４において全反射が生じる。このようにして、基材２００側からの光が基板１００の面１０２から漏れることを抑制することができる。
【００９８】
本図に示す例において、複数の接着層３１０のそれぞれは、互いに隣接する２つの凸部１００ｂの間にある。このため、接着層３１０が横方向に広がることが抑制される。
【００９９】
図２３は、図１８の第５の変形例を示す図である。本図に示す例は、複数の凸部２００ｂのそれぞれが複数の第１領域４１０のそれぞれとして機能しており、複数の接着層３１０のそれぞれが複数の第２領域４２０のそれぞれとして機能しており、基板１００が第４領域４４０として機能している点を除いて、図２０に示した例と同様である。
【０１００】
第４領域４４０（基板１００）の屈折率は、第２領域４２０（接着層３１０）の屈折率よりも第１領域４１０（凸部２００ｂ）の屈折率に近い。言い換えると、第１媒質５１０（凸部２００ｂ）と第４媒質５４０（基板１００）の屈折率差の絶対値が第２媒質５２０（接着層３１０）と第４媒質５４０（基板１００）の屈折率差の絶対値よりも小さい。この場合、図４に示した例と同様にして、第４領域４４０（基板１００）側から第１領域４１０（凸部２００ｂ）側に向かう光が境界５５６で反射することを抑制することができ、第２領域４２０（接着層３１０）側から第４領域４４０（基板１００）側に向かう光が境界５５８を通過することを抑制することができる。
【０１０１】
さらに、第１媒質５１０（凸部２００ｂ）と第４媒質５４０（基板１００）の屈折率差の絶対値は、第１媒質５１０（ベース２００ａ）と第２媒質５２０（接着層３１０）の屈折率差の絶対値よりも小さくてもよい。この場合、図４に示した例と同様にして、第４媒質５４０（基板１００）側から第１媒質５１０（凸部２００ｂ）側に向かう光が境界５５６で反射することを抑制することができ、第１媒質５１０（ベース２００ａ）側から第２領域４２０（接着層３１０）側に向かう光が境界５５４を通過することを抑制することができる。
【０１０２】
さらに、接着層３１０の屈折率は基材２００の屈折率より小さいことが好ましい。この場合、基材２００側から接着層３１０側に向かう光の入射角がある程度大きいとき、境界５５４において全反射が生じる。このようにして、基材２００側からの光が基板１００の面１０２から漏れることを抑制することができる。
【０１０３】
本図に示す例において、複数の接着層３１０のそれぞれは、互いに隣接する２つの凸部２００ｂの間にある。このため、接着層３１０が横方向に広がることが抑制される。
【０１０４】
（実施形態３）
図２４は、実施形態３に係る発光システム２０を示す断面図であり、実施形態１の図４に対応する。本実施形態に係る発光システム２０は、以下の点を除いて、実施形態１に係る発光システム２０と同様である。
【０１０５】
基板１００の面１０４と基材２００の面２０２の間の領域は、２つの接着層３１０（接着層３１２及び接着層３１４）、複数の部材３３０及び複数の空隙３２０を有している。接着層３１２は、基板１００の面１０４上にある。接着層３１４は、基材２００の面２０２上にある。複数の部材３３０は、接着層３１２と接着層３１４の間にあって、複数の発光領域１０６ａのそれぞれと重なっている。複数の空隙３２０は、接着層３１２と接着層３１４の間にあって、複数の透光領域１０６ｂのそれぞれと重なっている。
【０１０６】
本図に示す例では、複数の部材３３０のそれぞれが複数の第１領域４１０のそれぞれとして機能しており、複数の空隙３２０のそれぞれが複数の第２領域４２０のそれぞれとして機能しており、接着層３１４が第３領域４３０として機能しており、接着層３１２が第４領域４４０として機能している。
【０１０７】
第３領域４３０（接着層３１４）の屈折率は、第２領域４２０（空隙３２０）の屈折率よりも第１領域４１０（部材３３０）の屈折率に近い。言い換えると、第１媒質５１０（部材３３０）と第３媒質５３０（接着層３１４）の屈折率差の絶対値が第２媒質５２０（空隙３２０）と第３媒質５３０（接着層３１４）の屈折率差の絶対値よりも小さい。この場合、図４に示した例と同様にして、第１領域４１０（部材３３０）側から第３領域４３０（接着層３１４）側に向かう光が境界５５２で反射することを抑制することができ、第３領域４３０（接着層３１４）側から第２領域４２０（空隙３２０）側に向かう光が境界５５４を通過することを抑制することができる。
【０１０８】
さらに、第４領域４４０（接着層３１２）の屈折率は、第２領域４２０（空隙３２０）の屈折率よりも第１領域４１０（部材３３０）の屈折率に近くてもよい。言い換えると、第４媒質５４０（接着層３１２）と第１媒質５１０（部材３３０）の屈折率差の絶対値が第４媒質５４０（接着層３１２）と第２媒質５２０（空隙３２０）の屈折率差の絶対値よりも小さくてもよい。この場合、図４に示した例と同様にして、第４領域４４０（接着層３１２）側から第１領域４１０（部材３３０）側に向かう光が境界５５６で反射することを抑制することができ、第２領域４２０（空隙３２０）側から第４領域４４０（接着層３１２）側に向かう光が境界５５８を通過することを抑制することができる。
【０１０９】
図２５は、図２４の変形例を示す図である。本図に示す例は、以下の点を除いて、図２４に示した例と同様である。
【０１１０】
基板１００の面１０４と基材２００の面２０２の間の領域は、複数の積層体３５０及び複数の空隙３２０を有している。複数の積層体３５０のそれぞれは、複数の発光領域１０６ａのそれぞれと重なっている。複数の空隙３２０のそれぞれは、複数の透光領域１０６ｂのそれぞれと重なっている。複数の積層体３５０のそれぞれは、接着層３１２、部材３３０及び接着層３１４を有している。接着層３１２は、基板１００の面１０４上にある。接着層３１４は、基材２００の面２０２上にある。部材３３０は、接着層３１２と接着層３１４の間にある。
【０１１１】
本図に示す例では、複数の積層体３５０のそれぞれが複数の第１領域４１０のそれぞれとして機能しており、複数の空隙３２０のそれぞれが複数の第２領域４２０のそれぞれとして機能しており、基材２００が第３領域４３０として機能しており、基板１００が第４領域４４０として機能している。
【０１１２】
さらに、本図に示す例では、第１領域４１０（積層体３５０）は、２つの第１媒質５１０（第１媒質５１２及び第１媒質５１４）を有している。第１媒質５１２は、基板１００と部材３３０の間にある。第１媒質５１４は、基材２００と部材３３０の間にある。具体的には、接着層３１２が第１媒質５１２として機能しており、接着層３１４が第１媒質５１４として機能している。
【０１１３】
第１媒質５１４（接着層３１４）と第３媒質５３０（基材２００）の屈折率差の絶対値は、第２媒質５２０（空隙３２０）と第３媒質５３０（基材２００）の屈折率差の絶対値よりも小さい。この場合、図４に示した例と同様にして、第１媒質５１４（接着層３１４）側から第３媒質５３０（基材２００）側に向かう光が境界５５２で反射することを抑制することができ、第３媒質５３０（基材２００）側から第２媒質５２０（空隙３２０）側に向かう光が境界５５４を通過することを抑制することができる。
【０１１４】
さらに、第４媒質５４０（基板１００）と第１媒質５１２（接着層３１２）の屈折率差の絶対値は、第４媒質５４０（基板１００）と第２媒質５２０（空隙３２０）の屈折率差の絶対値よりも小さくてもよい。この場合、図４に示した例と同様にして、第４媒質５４０（基板１００）側から第１媒質５１２（接着層３１２）側に向かう光が境界５５６で反射することを抑制することができ、第２媒質５２０（空隙３２０）側から第４媒質５４０（基板１００）側に向かう光が境界５５８を通過することを抑制することができる。
【０１１５】
（実施形態４）
図２６は、実施形態４に係る発光システム２０を示す断面図であり、実施形態１の図４に対応する。本実施形態に係る発光システム２０は、以下の点を除いて、実施形態１に係る発光システム２０と同様である。
【０１１６】
本図に示す例において、発光システム２０は、基板１００の内側、具体的には、基板１００の面１０２と面１０４の間に複数の空隙３２０を有している。複数の空隙３２０のそれぞれは、複数の透光領域１０６ｂのそれぞれと重なっている。空隙３２０は、第２領域４２０として機能しており、互いに隣接する２つの空隙３２０の間の領域は、第１領域４１０として機能している。空隙３２０と基板１００の間の界面では、屈折率差が生じている。このため、基材２００側から基板１００側に向かう光を空隙３２０によって反射させることができる。これにより、基材２００側からの光が基板１００の面１０２から漏れることを抑制することができる。
【０１１７】
図２７は、図２６の変形例を示す図である。本図に示す例は、発光システム２０が基材２００の内側、具体的には、基材２００の面２０２と面２０４の間に複数の空隙３２０を有している点を除いて、図２６に示した例と同様である。複数の空隙３２０のそれぞれは、複数の透光領域１０６ｂのそれぞれと重なっている。なお、本図に示す例では、空隙３２０は、基材２００の面２０４からｔ２／２（ｔ２：基材２００の厚さ）よりも離れた位置にある。これにより、面２０４で反射した光が空隙３２０に到達しやすくなる。基材２００側から基板１００側に向かう光を空隙３２０によって反射させることができる。これにより、基材２００側からの光が基板１００の面１０２から漏れることを抑制することができる。
【実施例】
【０１１８】
図２８は、実施例に係る発光システム２０を示す図である。本図に示す例において、発光システム２０は、移動体２２であり、より具体的には自動車である。なお、移動体２２は、自動車に限定されるものではない。移動体２２は、例えば、列車、飛行機又は船舶であってもよい。発光システム２０は、発光装置１０、基材２００及び車体２２０を備えている。本図に示す発光装置１０及び基材２００は、図１〜図５に示した発光装置１０及び基材２００と同様である。
【０１１９】
本図に示す例において、基材２００は、移動体２２の窓、具体的には、自動車のリアウインドウとして機能している。より具体的には、車体２２０の一部は、枠体２１０として機能している。基材２００は、面２０２が車体２２０の内側を向き、かつ面２０４が車体２２０の外側を向くように枠体２１０に取り付けられている。なお、基材２００は、車体２２０（枠体２１０）から取り外しができないようになっていてもよい。言い換えると、基材２００は、移動体２２の一部になっていてもよい。
【０１２０】
本図に示す例において、発光装置１０は、ハイマウントストップランプあるいは補助制動灯として機能している。または、発光装置１０は、方向指示灯であってもよい。具体的には、発光装置１０（基板１００）は、基材２００の面２０２上に支持されており、車体２２０の内側にある。
【０１２１】
図１〜図５を用いて説明したように、本実施例に係る発光システム２０では、発光装置１０からの光が面２０２側から出射されることが抑制されている。このため、発光装置１０からの光は、車体２２０の内側にほとんど出射されることなく、車体２２０の外側に出射される。このため、車体２２０内から視認性が妨げられることがないので、乗客特に運転手からの視認性を確保することができる。
【０１２２】
以上、図面を参照して実施形態及び実施例について述べたが、これらは本発明の例示であり、上記以外の様々な構成を採用することもできる。
【符号の説明】
【０１２３】
１０  発光装置
２０  発光システム
２２  移動体
１００  基板
１００ａ  ベース
１００ｂ  凸部
１０２  面
１０２ａ  第１領域
１０２ｂ  第２領域
１０２ｃ  第３領域
１０４  面
１０６  半透過発光領域
１０６ａ  発光領域
１０６ｂ  透光領域
１１０  第１電極
１１０ａ  端部
１１０ｂ  端部
１１２  第１端子
１１４  第１配線
１１６  導電部
１１６ａ  導電部
１１６ｂ  導電部
１２０  有機層
１２０ａ  端部
１２０ｂ  端部
１３０  第２電極
１３０ａ  端部
１３０ｂ  端部
１３２  第２端子
１３４  第２配線
１４０  絶縁層
１４０ａ  端部
１４０ｂ  端部
１４２  開口
１４２ａ  端部
１４２ｂ  端部
１５０  発光部
２００  基材
２００ａ  ベース
２００ｂ  凸部
２０２  面
２０４  面
２１０  枠体
２２０  車体
３１０  接着層
３１０ａ  端部
３１０ｂ  端部
３１１  第１部分
３１２  接着層
３１３  第２部分
３１４  接着層
３１５  隙間
３２０  空隙
３３０  部材
３４０  機能層
３５０  積層体
４１０  第１領域
４２０  第２領域
４３０  第３領域
４４０  第４領域
５１０  第１媒質
５１２  第１媒質
５１４  第１媒質
５２０  第２媒質
５２２  第２媒質
５２４  第２媒質
５３０  第３媒質
５４０  第４媒質
５５２  境界
５５４  境界
５５６  境界
５５８  境界
【図１】
2018055930.tif 000003
【図２】
2018055930.tif 000004
【図３】
2018055930.tif 000005
【図４】
2018055930.tif 000006
【図５】
2018055930.tif 000007
【図６】
2018055930.tif 000008
【図７】
2018055930.tif 000009
【図８】
2018055930.tif 000010
【図９】
2018055930.tif 000011
【図１０】
2018055930.tif 000012
【図１１】
2018055930.tif 000013
【図１２】
2018055930.tif 000014
【図１３】
2018055930.tif 000015
【図１４】
2018055930.tif 000016
【図１５】
2018055930.tif 000017
【図１６】
2018055930.tif 000018
【図１７】
2018055930.tif 000019
【図１８】
2018055930.tif 000020
【図１９】
2018055930.tif 000021
【図２０】
2018055930.tif 000022
【図２１】
2018055930.tif 000023
【図２２】
2018055930.tif 000024
【図２３】
2018055930.tif 000025
【図２４】
2018055930.tif 000026
【図２５】
2018055930.tif 000027
【図２６】
2018055930.tif 000028
【図２７】
2018055930.tif 000029
【図２８】
2018055930.tif 000030